(57)【要約】【課題】小型で安価な河川の増水を検出する監視システムを提供する。【解決手段】受信した電波を電力に変換するエネルギー変換部およびそのエネルギー変換部で発生した電力を利用して記憶部に記憶したＩＤ情報を送信するＩＤ送信部を備えたＩＤ送信装置２と、河川の流水に向けて垂設され、所定の間隔を保持してＩＤ送信装置２が配設された増水検出チューブと、電波を発信するとともにＩＤ送信装置２から送信されたＩＤ情報を受信する無線通信部および前記無線通信部で受信したＩＤ情報を記憶する記憶部を備えた増水／強風検出装置１とを設け、その増水／強風検出装置が浸水していないＩＤ送信装置２から受信したＩＤ情報から導いた河川の増水位を示す情報を監視端末４へ送信し、その監視端末４が受信した河川の増水位を示す情報に基づいて警報を表示するようにした。【選択図】        図１
2010097504.tif 000002
【特許請求の範囲】
【請求項１】
受信した電波を電力に変換するエネルギー変換部およびそのエネルギー変換部で発生した電力を利用して記憶部に記憶したＩＤ情報を送信するＩＤ送信部を備えたＩＤ送信装置と、
河川の流水に向けて垂設され、所定の間隔を保持して前記ＩＤ送信装置が配設されたＩＤ送信装置固定部材と、
電波を発信するとともに浸水していない前記ＩＤ送信装置から送信されたＩＤ情報を受信する無線通信部および前記無線通信部で受信したＩＤ情報を記憶する記憶部を備えた増水検出装置とを設け、
前記増水検出装置が前記ＩＤ送信装置から受信したＩＤ情報から導いた河川の増水位を示す情報を監視端末へ送信し、該監視端末が受信した該情報に基づいて警報を表示するようにしたことを特徴とする監視システム。
【請求項２】
請求項１の監視システムにおいて、
前記増水検出装置は、前記ＩＤ送信装置から受信したＩＤ情報の順列を前記河川の増水位を示す情報として前記監視端末へ送信するようにしたことを特徴とする監視システム。
【請求項３】
請求項１の監視システムにおいて、
前記増水検出装置は、予め記憶部に記憶した前記ＩＤ送信装置固定部材に配設されたＩＤ送信装置のＩＤ情報の順列と、前記ＩＤ送信装置から受信したＩＤ情報とを比較して導いた河川の増水位を示す情報を前記監視端末へ送信するようにしたことを特徴とする監視システム。
【請求項４】
請求項１、請求項２または請求項３の監視システムにおいて、
前記ＩＤ送信装置固定部材を、所定の間隔を保持して前記ＩＤ送信装置を内部に固着するとともに前記ＩＤ送信装置との間に間隙を形成する管状体としたことを特徴とする監視システム。
【請求項５】
請求項４の監視システムにおいて、
前記ＩＤ送信装置固定部材は、管状体の側部に形成された開口部と、前記開口部を開閉させる遮蔽部材を前記管状体の内部に引き出し可能に備え、
前記ＩＤ送信装置は、前記開口部から外側へ突出するように付勢されたアンテナを備え、
前記遮蔽部材を管状体から引き出して前記開口部を開放させ、前記ＩＤ送信装置のアンテナを前記開口部から突出させるようにしたことを特徴とする監視システム。
【発明の詳細な説明】
【技術分野】
【０００１】
本発明は、河川の増水による災害を防止するため、その増水の発生を遠隔監視する監視システムに関する。
【背景技術】
【０００２】
近年、豪雨による河川の増水が頻繁に発生するようになり、鉄道等の公共輸送機関では、増水による事故や危険を回避するため、必要以上に列車の運行を休止させているのが現状である。
このような状況の下、従来の監視システムは、最寄の国土交通省の水位・流量の観測所の観測データに基づいて増水による河川に架かる鉄橋の危険度を判定するようにしていた。また、橋脚の上端部に設置された超音波レベル計等の水位計から河川の水面に向けて信号を発信し、その水面から反射する信号を受信して河川の水位を検出するようにしているものがある（例えば、特許文献１参照）。
【特許文献１】特開２００７−２７１４０２号公報（段落「００２６」〜段落「００２７」、図２、図３）
【発明の開示】
【発明が解決しようとする課題】
【０００３】
しかしながら、上述した従来の技術においては、河川の水位を検出する水位計に超音波レベル計等を採用しているため、その水位計が大型な装置となり、また高価なものとなり、すべての鉄橋付近の河川の増水を検出することが困難であるという問題がある。
本発明は、このような問題を解決することを課題とし、小型で安価な河川の増水を検出する監視システムを提供することを目的とする。
【課題を解決するための手段】
【０００４】
そのため、本発明は、受信した電波を電力に変換するエネルギー変換部およびそのエネルギー変換部で発生した電力を利用して記憶部に記憶したＩＤ情報を送信するＩＤ送信部を備えたＩＤ送信装置と、河川の流水に向けて垂設され、所定の間隔を保持して前記ＩＤ送信装置が配設されたＩＤ送信装置固定部材と、電波を発信するとともに浸水していない前記ＩＤ送信装置から送信されたＩＤ情報を受信する無線通信部および前記無線通信部で受信したＩＤ情報を記憶する記憶部を備えた増水検出装置とを設け、前記増水検出装置が前記ＩＤ送信装置から受信したＩＤ情報から導いた河川の増水位を示す情報を監視端末へ送信し、該監視端末が受信した該情報に基づいて警報を表示するようにしたことを特徴とする。
【発明の効果】
【０００５】
このようにした本発明は、小型で安価な河川の増水を検出する監視システムを構成することができるという効果が得られる。
【発明を実施するための最良の形態】
【０００６】
以下、図面を参照して本発明による監視システムの実施例を説明する。
【実施例１】
【０００７】
図１は第１の実施例における監視システムの構成を示すブロック図である。
図１において、１は増水／強風検出装置であり、また２はＩＤ送信装置であり、河川の水位の上昇および強風の発生を監視する監視箇所に設置されるものである。
ＩＤ送信装置２は自己を識別するための識別コードであるＩＤ情報（ＩＤ番号）を無線通信で送信することができる安価なＩＣタグ等のＲＦＩＤ（Ｒａｄｉｏ  Ｆｒｅｑｕｅｎｃｙ  ＩＤｅｎｔｉｆｉｃａｔｉｏｎ）タグで構成されたものである。
【０００８】
このＩＤ送信装置２は、河川の水位を監視する監視箇所に設置された管状の増水検出チューブの内部に所定の間隔を保持して複数内蔵され、河川の水位の上昇により浸水するとその水流により発信した電波が反射・吸収され、ＩＤ情報を送信することができなくなるようになっている。
このＩＤ送信装置２に備えられたＲＦＩＤタグは、例えばＵＨＦ帯の通信周波数を利用し、数ｍの範囲で無線通信が可能な小型なものとする。したがって、後述する増水検出チューブの内側に所定の間隔で配設することができるようになっている。
【０００９】
増水／強風検出装置１は、所定の範囲内に設置されたＩＤ送信装置２から無線通信で発信されたＩＤ情報を受信することができるものである。
本実施例では、増水／強風検出装置１は各監視箇所に１台、ＩＤ送信装置２は増水検出チューブの内部に複数配設されたものとして説明する。
４は監視端末であり、各監視箇所に設置された増水／強風検出装置１を集中して監視する集中監視センタ等に設置されるものである。この監視端末４は、ＣＰＵ（Ｃｅｎｔｒａｌ  Ｐｒｏｃｅｓｓｉｎｇ  Ｕｎｉｔ）等の演算および制御手段、磁気ディスク、半導体メモリ等の記憶手段（記憶部）、キーボード、マウス等の入力手段、液晶ディスプレイ等の表示手段および通信手段等を備えるものである。
【００１０】
また、この監視端末４は通信回線３および図示しないサーバ等を介して増水／強風検出装置１等の他の装置と相互に通信可能に接続され、増水／強風検出装置１から受信した通知（情報）に基づいて警報等を表示手段に表示する。
なお、記憶手段は各監視箇所に存在するすべてのＩＤ送信装置２のＩＤ情報を予め記憶しているものとする。
【００１１】
このように監視システムは、増水／強風検出装置１、ＩＤ送信装置２、および監視端末４等で構成されている。
次に、増水／強風検出装置１の構成を図２の第１の実施例における増水／強風検出装置の構成を示すブロック図に基づいて説明する。
図２において、１１は強風検出部であり、受けた風を回転運動に変換する風車１１１、その風車１１１の回転運動から風速を検知する風速計１１２で構成され、所定の風速を超えた強風が発生したことを検出するものである。
【００１２】
１２は無線通信部であり、図示しない電源部に蓄えた電力を利用し、アンテナ１２１を介してＩＤ送信装置２へ電力を供給するための電波を発信し、またその電波を受けたＩＤ送信装置２が送信したＩＤ情報を受信するものである。
１３は記憶部であり、磁気ディスク、半導体メモリ等の記憶手段である。この記憶部１３は増水／強風検出装置１が設置された監視箇所に存在するすべてのＩＤ送信装置２のＩＤ情報を予め記憶し、また増水／強風検出装置１全体の動作を制御する制御プログラム（ソフトウェア）等を記憶する。
【００１３】
さらに、記憶部１３はＩＤ送信装置２から受信したＩＤ情報を記憶する。
１４は通信部であり、通信回線３を介して監視端末４等との間で行う通信を制御するものである。
１５は制御部であり、ＣＰＵ等の演算および制御手段等で構成されたものである。この制御部１５は強風検出部１１、無線通信部１２、記憶部１３、および通信部１４を含めて増水／強風検出装置１全体の動作を記憶部１３に格納された制御プログラム（ソフトウェア）に基づいて制御する。
【００１４】
なお、本実施例では、増水／強風検出装置１として説明するが、強風検出部１１を備えることなく、無線通信部１２、記憶部１３、および通信部１４で構成された増水検出装置としてもよい。
また、増水／強風検出装置１は、予め充電された蓄電池を備えた電源部を有するものとするが、図示しない電源装置から電力が供給されるように構成してもよい。
【００１５】
次に、ＩＤ送信装置２の構成を図３の第１の実施例におけるＩＤ送信装置の構成を示すブロック図に基づいて説明する。
図３において、２１はエネルギー変換部であり、増水／強風検出装置１の無線通信部１２から発信された電波を受信すると、例えば電磁誘導作用等を利用し、その電波を電気エネルギーに変換してＩＤ送信装置２全体に電力を供給する。これによりＩＤ送信装置２は動作が可能な状態になる。
【００１６】
２２はＩＤ送信部であり、エネルギー変換部２１により供給された電力を利用して記憶部に記憶された固有のＩＤ情報を送信する。
２３は記憶部であり、ＩＤ送信部２２が送信する固有のＩＤ情報を予め記憶し、またＩＤ送信装置２全体の動作を制御する制御プログラム（ソフトウェア）等を記憶する。
２４は制御部であり、ＣＰＵ等の演算および制御手段等で構成されたものである。この制御部２４はエネルギー変換部２１、ＩＤ送信部２２、および記憶部２３を含めてＩＤ送信装置２全体の動作を記憶部２３に格納された制御プログラム（ソフトウェア）に基づいて制御する。
【００１７】
このように構成された増水／強風検出装置１およびＩＤ送信装置２は例えば図４に示すように設置される。図４は第１の実施例における増水／強風検出装置およびＩＤ送信装置の設置例を示す説明図であり、増水が発生することを監視する監視箇所を列車が通過する鉄橋付近にしたものである。
図４において、４１は列車が通過する鉄橋を示し、その付近に１台の増水／強風検出装置１と複数のＩＤ送信装置２が所定の間隔を保持して配設されたＩＤ送信装置固定部材としての増水検出チューブ３１が設置されている。
【００１８】
増水検出チューブ３１は、河川の水位を監視するため、例えば鉄橋の橋梁から河川の流水の水面や水底に向けて垂設され、両端部が開口した管状（円筒状）のものであり、その内部に所定の間隔（例えば、１０ｃｍ間隔、２０ｃｍ間隔、または３０ｃｍ間隔等）を保持して異なるＩＤ情報を記憶する複数のＩＤ送信装置２が所定の順序で固着されているものである。例えば、この増水検出チューブ３１の内部には、図４に示すように上部から下部に向けてＩＤ情報が「１」のＩＤ送信装置２、ＩＤ情報が「２」のＩＤ送信装置２、ＩＤ情報が「３」のＩＤ送信装置２、ＩＤ情報が「４」のＩＤ送信装置２、・・・、ＩＤ情報が「Ｘ」のＩＤ送信装置２がそれぞれ固着されている。
【００１９】
また、増水検出チューブ３１は、内部に固着されたＩＤ送信装置２との間に間隙が形成され、その間隙が水路となるように構成されている。例えば、ＩＤ送信装置２を板状や直方体状に形成して増水検出チューブ３１の内部に固着するものとする。
河川の水位の上昇により増水検出チューブ３１内のＩＤ送信装置２が浸水するとその水流により発信した電波が反射・吸収されるため、浸水したＩＤ送信装置２は、増水／強風検出装置１へＩＤ情報を送信することができなくなるようになっている。したがって、増水／強風検出装置１は浸水していないＩＤ送信装置２との間で無線通信が可能になっている。
【００２０】
増水検出チューブ３１内の浸水していない複数のＩＤ送信装置２は増水／強風検出装置１との間で無線通信可能な通信範囲４２内に設置され、増水／強風検出装置１の無線通信部１２から発信された電波を受信したＩＤ送信装置２は記憶部２３に記憶されたＩＤ情報を送信し、増水／強風検出装置１の無線通信部１２はそのＩＤ情報を受信することができるものとする。また、増水／強風検出装置１は通信回線３を介して監視端末４と通信可能に接続されている。
【００２１】
一方、鉄橋４１付近で増水が発生すると増水／強風検出装置１は、増水検出チューブ３１内の浸水したＩＤ送信装置２との間で無線通信することができなくなる。
例えば、増水検出チューブ３１内にＩＤ情報が「１」のＩＤ送信装置２、ＩＤ情報が「２」のＩＤ送信装置２、ＩＤ情報が「３」のＩＤ送信装置２、ＩＤ情報が「４」のＩＤ送信装置２、・・・、ＩＤ情報が「Ｘ」のＩＤ送信装置２がそれぞれ固着されている場合において、「１」から「３」までのＩＤ情報を受信し、「４」から「Ｘ」までのＩＤ情報が受信できないとき、増水検出チューブ３１内のＩＤ情報が「４」のＩＤ送信装置２が配設された位置まで浸水（増水）していることを検出することができる。
【００２２】
なお、ＩＤ送信装置２はＲＦＩＤタグ等で構成されているため、増水検出チューブ３１を小型化することができ、鉄橋４１の橋脚や入口付近等の設置場所に限定されることなく設置することができる。
上述した構成の作用について説明する。
図５は第１の実施例における増水検出処理を示すフローチャートであり、図中Ｓで表すステップにしたがって説明する。
【００２３】
なお、各実施例において以下に説明する各部の動作は、図示しないメモリや磁気ディスク等の記憶手段に格納されたプログラム（ソフトウェア）に基づいて図示しない中央処理装置等の制御手段により制御される。
Ｓ１ａ、Ｓ２ａ：集中監視センタの監視端末４は、例えば気象庁からの警報や注意情報により増水の可能性があると判断された監視箇所の増水／強風検出装置１へ増水の監視を開始させるための動作開始指示を送信する。
【００２４】
Ｓ３ａ：増水／強風検出装置１が動作開始指示を受信すると制御部１５の指示により無線通信部１２は電波を発信する。
Ｓ４ａ、Ｓ５ａ：監視箇所に設置されたそれぞれのＩＤ送信装置２のエネルギー変換部２１はその電波を受信し、受信した電波を電気エネルギーに変換して装置全体に電力を供給する。
【００２５】
Ｓ６ａ：受信した電波を電気エネルギーに変換して動作可能になったＩＤ送信装置２の制御部２４の指示によりＩＤ送信部２２は記憶部２３に予め記憶したＩＤ情報を送信する。
ここで、増水により浸水したＩＤ送信装置２は増水／強風検出装置１へＩＤ情報を送信するができない。
【００２６】
Ｓ７ａ、Ｓ８ａ：増水／強風検出装置１の制御部１５の指示により無線通信部１２がそれぞれのＩＤ送信装置２からＩＤ情報を受信すると制御部１５は受信したＩＤ情報を順次記憶部１３に記憶させる。
増水／強風検出装置１の無線通信部１２は浸水していないそれぞれのＩＤ送信装置２からＩＤ情報を受信し、そのＩＤ情報を記憶部１３に記憶させることができ、一方、浸水したＩＤ送信装置２からＩＤ情報を受信することができないためそのＩＤ情報は記憶部１３に記憶されない。
【００２７】
Ｓ９ａ：増水／強風検出装置１の制御部１５は所定の時間が経過するまでそれぞれのＩＤ送信装置２から受信したＩＤ情報を記憶部１３に記憶させる。
なお、この所定の時間は通信範囲に存在するすべてのＩＤ送信装置２からＩＤ情報を受信するのに充分な時間を確保してあるものとする。
Ｓ１０ａ：所定の時間が経過すると増水／強風検出装置１の制御部１５は記憶部１３に記憶させたＩＤ情報の順列である通信可能ＩＤ番号列を生成する。
【００２８】
Ｓ１１ａ：増水／強風検出装置１の制御部１５の指示により通信部１４は生成した通信可能ＩＤ番号列を河川の増水位を示す情報として集中監視センタの監視端末４へ送信する。
Ｓ１２ａ：監視端末４は受信した通信可能ＩＤ番号列と予め記憶部に記憶しておいた監視箇所に設置したＩＤ送信装置２の通信可能ＩＤ番号列とを比較し、その通信可能ＩＤ番号列に変動があるか否かを判定する。
【００２９】
Ｓ１３ａ：通信可能ＩＤ番号列に変動があると判定すると監視端末４はその変動数に応じて増水による危険度（例えば変動数が大きいと危険度が高く、少ないと危険度は低い等）を判定し、その危険度に応じた警報、例えば列車の停止指令や徐行指令等を表示部に表示させる。
一方、通信可能ＩＤ番号列に変動がないと判定すると監視端末４は警報等の表示を行うことなく処理を終了する。
【００３０】
ここで、監視端末４は、受信した通信可能ＩＤ番号列が所定の順序でない場合、増水以外の外乱（ＩＤ送信装置２の故障や脱落等）が発生していることを検知するようにし、高い精度で増水を検出することができる。
例えば、増水検出チューブ３１の内部に、図４に示すように上部から下部に向けてＩＤ情報が「１」のＩＤ送信装置２、ＩＤ情報が「２」のＩＤ送信装置２、ＩＤ情報が「３」のＩＤ送信装置２、ＩＤ情報が「４」のＩＤ送信装置２、・・・、ＩＤ情報が「Ｘ」のＩＤ送信装置２が順に固着されている場合において、通信可能ＩＤ番号列が、ＩＤ情報「１」、ＩＤ情報「３」、ＩＤ情報「４」、・・・、ＩＤ情報「Ｘ」のとき、すなわちＩＤ情報「２」だけが受信できないとき、増水でなく外乱による通信可能ＩＤ番号列の変動と判定し、一方通信可能ＩＤ番号列が、ＩＤ情報「１」、ＩＤ情報「２」、ＩＤ情報「３」のとき、ＩＤ情報が「４」のＩＤ送信装置２まで浸水（増水）したことによる通信可能ＩＤ番号列の変動と判定する。
【００３１】
なお、本実施例では、監視端末４の記憶部に予め記憶する通信可能ＩＤ番号列を監視箇所に設置したときの増水検出チューブ３１内に配設されたＩＤ送信装置２のＩＤ番号列とするが、ＩＤ送信装置２から受信したＩＤ番号列で順次更新して前回の処理で通信可能であったＩＤ番号列とするようにしてもよい。
以上説明したように、第１の実施例では、増水の発生を監視する監視場所に設置されたＩＤ送信装置は小型で安価なＲＦＩＤタグ等で構成するようにし、またＩＤ送信装置から増水／強風検出装置が受信した通信可能ＩＤ番号列に応じて増水による危険度を判定するようにしたことにより、小型で安価な監視システムを構成することができるという効果が得られる。
【００３２】
また、ＩＤ送信装置はＲＦＩＤタグ等で構成されているため、小型化することができ、設置場所が限定されることなく、監視箇所のあらゆる場所に設置することが可能になり、局所的に発生する増水をも検出することができるという効果が得られる。
【実施例２】
【００３３】
第２の実施例の構成は、監視箇所に設置した増水検出チューブ３１内に配設されたＩＤ送信装置２のＩＤ番号列を増水／強風検出装置１の記憶部１３に予め記憶しておくように構成したことが第１の実施例の構成と異なる。なお、上述した第１の実施例と同様な部分は同一の符号を付してその説明を省略する。
図６は第２の実施例における増水／強風検出装置の構成を示すブロック図である。
【００３４】
図６において、１３１は、ＩＤ送信装置２のＩＤ番号列であり、記憶部１３に予め記憶されるものである。このＩＤ送信装置２のＩＤ番号列１３１は、監視箇所に設置した増水検出チューブ３１内に配設されたＩＤ送信装置２のＩＤ番号を順列にしたがって記憶するものである。
例えば、監視箇所に設置した増水検出チューブ３１の内部に、図４に示すように上部から下部に向けてＩＤ情報が「１」のＩＤ送信装置２、ＩＤ情報が「２」のＩＤ送信装置２、ＩＤ情報が「３」のＩＤ送信装置２、ＩＤ情報が「４」のＩＤ送信装置２、・・・、ＩＤ情報が「Ｘ」のＩＤ送信装置２が順に固着されている場合、ＩＤ番号列１３１は、ＩＤ情報＝「１」、ＩＤ情報＝「２」、ＩＤ情報＝「３」、ＩＤ情報＝「４」、・・・、ＩＤ情報＝「Ｘ」の順序でＩＤ送信装置２のＩＤ番号列１３１を記憶するものとする。
【００３５】
上述した構成の作用について説明する。
図７は第２の実施例における増水検出処理を示すフローチャートであり、図中Ｓで表すステップにしたがって説明する。
Ｓ１ｂ〜Ｓ１０ｂ：図５におけるＳ１ａ〜Ｓ１０ａと同様なのでその説明を省略する。
Ｓ１１ｂ：増水／強風検出装置１の制御部１５は生成した通信可能ＩＤ番号列と予め記憶部１３に記憶しておいた監視箇所に設置したＩＤ送信装置２のＩＤ番号列１３１とを比較し、その列に変動があるか否かを判定する。
【００３６】
Ｓ１２ｂ：通信可能ＩＤ番号列に変動があると判定すると制御部１５はその変動数に応じて増水による危険度（例えば変動数が大きいと危険度が高く、少ないと危険度は低い等）を判定し、制御部１５の指示により通信部１４はその危険度を河川の増水位を示す情報として警報を表示することを依頼する通知を集中監視センタの監視端末４へ送信する。
Ｓ１３ｂ：監視端末４は受信した通知にしたがって警報、例えば列車の停止指令や徐行指令等を表示部に表示させる。
【００３７】
なお、Ｓ１１ｂにおいて通信可能ＩＤ番号列に変動がないと判定すると制御部１５は警報を表示することを依頼する通知の送信を指示することなく処理を終了する。
ここで、増水／強風検出装置１の制御部１５は、生成した通信可能ＩＤ番号列が所定の順序でない場合、増水以外の外乱（ＩＤ送信装置２の故障や脱落等）が発生していることを検知するようにし、高い精度で増水を検出することができる。
【００３８】
例えば、増水検出チューブ３１の内部に、図４に示すように上部から下部に向けてＩＤ情報が「１」のＩＤ送信装置２、ＩＤ情報が「２」のＩＤ送信装置２、ＩＤ情報が「３」のＩＤ送信装置２、ＩＤ情報が「４」のＩＤ送信装置２、・・・、ＩＤ情報が「Ｘ」のＩＤ送信装置２が順に固着されている場合において、通信可能ＩＤ番号列が、ＩＤ情報「１」、ＩＤ情報「３」、ＩＤ情報「４」、・・・、ＩＤ情報「Ｘ」のとき、すなわちＩＤ情報「２」だけが受信できないとき、増水でなく外乱による通信可能ＩＤ番号列の変動と判定し、一方通信可能ＩＤ番号列が、ＩＤ情報「１」、ＩＤ情報「２」、ＩＤ情報「３」のとき、ＩＤ情報が「４」のＩＤ送信装置２まで浸水（増水）したことによる通信可能ＩＤ番号列の変動と判定する。
【００３９】
なお、本実施例では、ＩＤ送信装置２のＩＤ番号列１３１を監視箇所に設置したときの増水検出チューブ３１内に配設されたＩＤ送信装置２のＩＤ番号列としたが、ＩＤ送信装置２から受信したＩＤ番号列で順次更新して前回の処理で通信可能であったＩＤ番号列とするようにしてもよい。
以上説明したように、第２の実施例では、第１の実施例の効果に加え、監視箇所に設置した増水検出チューブ内に配設されたＩＤ送信装置のＩＤ番号列を増水／強風検出装置の記憶部に予め記憶し、増水／強風検出装置が増水を検出したときのみに集中監視センタの監視端末へ増水による危険度を通知するようにしたことにより、通信回線上のトラフィック量や集中監視センタ側の負荷を大幅に低減させることができるという効果が得られる。
【実施例３】
【００４０】
第３の実施例の構成は、第１の実施例および第２の実施例の構成と増水検出チューブの構成が異なるものである。なお、上述した第１の実施例と同様な部分は同一の符号を付してその説明を省略する。
図８および図９は、第３の実施例における増水検出チューブの構成を示す説明図である。
【００４１】
図８（ａ）は増水検出チューブ３１の平面図、図８（ｂ）は増水検出チューブ３１の側断面図であり、板状に形成されたＩＤ送信装置２の両端部が管状に形成された増水検出チューブ３１（管状体）の内周面に固定されている。
３２は管状体としての増水検出チューブ３１の側部に形成された開口部であり、３３はその管状体としての増水検出チューブ３１の内部に埋め込まれ、開口部３２を閉塞する遮蔽部材である。この遮蔽部材３３は、増水検出チューブ３１の端部（上端部または下端部）から引き出すことができるように構成されており、増水検出チューブ３１から引き出すと開口部３２を開放する。
【００４２】
２６ａ、２６ｂはＩＤ送信装置２の両側部に設けられたアンテナである。アンテナ２６ａ、２６ｂは、回転軸２７ａ、２７ｂを回転支点として回動自在になっており、また図示しないバネやスプリング等の付勢部材でＩＤ送信装置２の外側に向けて付勢されている。
なお、本実施例では、アンテナはＩＤ送信装置２の両側部に設けたものとして説明するが、一方の側部に設けるようにしてもよい。
【００４３】
図８は増水検出チューブ３１の内部に遮蔽部材３３が埋め込まれた状態を示しており、開口部３２はその遮蔽部材３３により閉塞されるとともにＩＤ送信装置２のアンテナ２６ａ、２６ｂは遮蔽部材３３に当接して増水検出チューブ３１の内部に収納されている。
このように増水検出チューブ３１の内部に遮蔽部材３３を埋め込むことにより、ＵＨＦ帯を利用する場合のように十数センチメートル程度のアンテナを必要とする場合であってもＩＤ送信装置２のアンテナ２６ａ、２６ｂを増水検出チューブ３１の内部に収納することができ、増水検出チューブ３１を設置場所まで容易に輸送することができるようになる。
【００４４】
図９（ａ）は遮蔽部材３３を引き出した増水検出チューブ３１の平面図、図９（ｂ）はその増水検出チューブ３１の側断面図であり、ＩＤ送信装置２のアンテナ２６ａ、２６ｂが増水検出チューブ３１の開口部３２から外側に突出した状態を示している。
遮蔽部材３３を増水検出チューブ３１から引き出すと開口部３２が開放されるとともにその遮蔽部材３３に当接していたＩＤ送信装置２のアンテナ２６ａ、２６ｂは図示しない付勢部材により図中矢印Ａおよび矢印Ｂが示す方向へ回動して増水検出チューブ３１の開口部３２から外側に突出する。
【００４５】
このように構成された増水検出チューブ３１は、設置場所まで輸送した後、遮蔽部材３３が引き出されることにより、ＩＤ送信装置２のアンテナ２６ａ、２６ｂを増水検出チューブ３１の外側に突出させることができ、増水／強風検出装置１はＩＤ送信装置２との間で通信が可能になる。
なお、第３の実施例における増水検出処理は第１の実施例および第２の実施例と同様なのでその説明を省略する。
【００４６】
以上説明したように、第３の実施例では、増水検出チューブはＩＤ送信装置のアンテナを内部に収納することができるようにしたことにより、その増水検出チューブを設置場所まで容易に輸送することができるという効果が得られる。
【図面の簡単な説明】
【００４７】
【図１】第１の実施例における監視システムの構成を示すブロック図
【図２】第１の実施例における増水／強風検出装置の構成を示すブロック図
【図３】第１の実施例におけるＩＤ送信装置の構成を示すブロック図
【図４】第１の実施例における増水／強風検出装置およびＩＤ送信装置の設置例を示す説明図
【図５】第１の実施例における増水検出処理を示すフローチャート
【図６】第２の実施例における増水／強風検出装置の構成を示すブロック図
【図７】第２の実施例における増水検出処理を示すフローチャート
【図８】第３の実施例における増水検出チューブの構成を示す説明図
【図９】第３の実施例における増水検出チューブの構成を示す説明図
【符号の説明】
【００４８】
１    増水／強風検出装置
２    ＩＤ送信装置
３    通信回線
４    監視端末
１１  強風検出部
１１１  風車
１２  無線通信部
１２１  アンテナ
１３  記憶部
１４  通信部
１５  制御部
２１  エネルギー変換部
２２  ＩＤ送信部
２３  記憶部
２４  制御部
２６ａ、２６ｂ  アンテナ
３１  増水検出チューブ
３２  開口部
３３  遮蔽部材
【図１】
2010097504.tif 000003
【図２】
2010097504.tif 000004
【図３】
2010097504.tif 000005
【図４】
2010097504.tif 000006
【図５】
2010097504.tif 000007
【図６】
2010097504.tif 000008
【図７】
2010097504.tif 000009
【図８】
2010097504.tif 000010
【図９】
2010097504.tif 000011